(57)【特許請求の範囲】
【請求項１】
ディスクカートリッジにおいて、
上シェル、中シェル及び下シェルを重ね合わせることによって上シェル及び中シェル内又は中シェル及び下シェル内にディスク収納室が形成されると共に上記中シェルが上記上シェル及び上記下シェルによって回転自在に支持されたカートリッジ筐体と、
上記ディスク収納室内に回転自在に収納されるディスク状記録媒体の一部を露出するための開口部の少なくとも一部を開閉する一対のシャッタ部材と、を備え、
上記一対のシャッタ部材を、上記開口部を挟んで対称に配置すると共に、上記中シェルの回転により上記一対のシャッタ部材を開閉動作させる
ことを特徴とするディスクカートリッジ。
【請求項２】
上記一対のシャッタ部材は略半円形とされた２枚の板体からなり、この一対のシャッタ部材が上記開口部を挟んで上記中シェルの一面側に配置され、それぞれのシャッタ部材において弦側の一側部に設けた軸部を上記中シェルに回転自在に支持すると共に当該弦側の他側部に設けたガイド溝に上記下シェル又は上記上シェルに設けたガイドピンを摺動可能に係合した
ことを特徴とする請求項１記載のディスクカートリッジ。
【請求項３】
上記中シェルの外周面を押圧して当該中シェルをロックするロック部材を設け、当該ロック部材の支持部を上記中シェルの押圧部よりも外側に設定した
ことを特徴とする請求項２記載のディスクカートリッジ。
【請求項４】
上記ロック部材は、上記中シェルに係合されるストッパ部と、このストッパ部を上記中シェルの上記押圧部に押圧するバネ片とを有し、
当該ロック部材をエンジニアリングプラスチックによって形成した
ことを特徴とする請求項３記載のディスクカートリッジ。
【発明の詳細な説明】
【０００１】
【発明の属する技術分野】
本発明は、光ディスクや光磁気ディスク、磁気ディスク等のディスク状記録媒体がカートリッジ筐体のディスク収納室内に回転自在に収納されたディスクカートリッジに関し、特に、上シェル又は下シェルとの間でディスク収納室を形成する中シェルを回転させることにより一対のシャッタ部材を開閉動作させて開口部を開閉し、その開放時に開口部からディスク状記録媒体の一部を露出させるようにしたディスクカートリッジに関するものである。
【０００２】
【従来の技術】
従来、一般に、音声、映像或いはコンピュータのデータ等の情報の記録及び／又は再生が可能なディスク状記録媒体がカートリッジ筐体内に回転自在に収納されたディスクカートリッジとしては、例えば、図２７に示すような構成のものが知られている。このディスクカートリッジ１は、コンピュータのデータ等の情報を使用者が後から記録書き込みできる追記形光磁気ディスク４を内蔵しているディスクカートリッジである。
【０００３】
このディスクカートリッジ１は、一対の上シェル２ａ及び下シェル２ｂによって構成されるカートリッジ筐体２と、このカートリッジ筐体２のディスク収納室３内に回転自在に収納された光磁気ディスク４等を備えている。カートリッジ筐体２の上下両面には、中央部から一辺に向かって延びる上下の開口部５が設けられている。この開口部５は、その一辺に沿ってスライド可能とされたシャッタ部材６によって開閉可能とされている。このシャッタ部材６は、図に現れないスプリングによって開口部５を閉じる方向へ常時付勢されている。６ａは、シャッタ部材６の先端部の抜け出しを防止するための押え部材である。
【０００４】
また、光磁気ディスク４の中央部には、金属によって円盤状に形成されたセンタハブ７が設けられている。このセンタハブ７は、開口部５の内側端部に対応された位置、即ち、カートリッジ筐体２の略中央部に配置されている。このセンタハブ７には、情報記録再生装置の本体側に設けられるターンテーブルが装着され、そのターンテーブルによるチャッキングにより固定されて光磁気ディスク４が所定速度（例えば、線速度一定）で回転駆動される。この際、開口部５内にヘッド部が挿入される光磁気ピックアップ装置の働きにより、光磁気ディスク４に対する情報信号の記録又は再生が行われる。
【０００５】
【発明が解決しようとする課題】
しかしながら、このような構成を有する従来のディスクカートリッジにおいては、開口部５を開閉するシャッタ部材６をカートリッジ筐体２の一辺にスライド可能に係合し、このシャッタ部材６をスプリングのバネ力で一方に付勢して開口部５を閉鎖する一方、このスプリングのバネ力に抗してシャッタ部材６を移動させることにより開口部５を開放する構成となっていた。そのため、スプリングを収納するためのスペースをカートリッジ筐体２に設ける必要があるばかりでなく、スプリングのバネ力の作用方向が直線的であるため、開口部５の面積を十分に大きく取ることができないという課題があった。
【０００６】
本発明は、このような従来のディスクカートリッジの課題に鑑みてなされたものであり、上下シェルで中シェルを回転自在に保持し、この中シェルの回転によって一対のシャッタ部材を開閉動作させることにより、スプリングを用いることなく中シェルを所定位置に保持できるようにすると共に、小さな力で中シェルを回転させてシャッタ部材の開閉動作を容易に行うことができるディスクカートリッジを提供し、上述したような従来の課題を解決することを目的としている。
【０００７】
【課題を解決するための手段】
上述したような課題等を解決し、上記目的を達成するために、本出願の請求項１記載のディスクカートリッジは、ディスクカートリッジにおいて、上シェル、中シェル及び下シェルを重ね合わせることによって上シェル及び中シェル内又は中シェル及び下シェル内にディスク収納室が形成されると共に上記中シェルが上シェル及び下シェルによって回転自在に支持されたカートリッジ筐体と、ディスク収納室内に回転自在に収納されるディスク状記録媒体の一部を露出するための開口部の少なくとも一部を開閉する一対のシャッタ部材と、を備え、一対のシャッタ部材を、開口部を挟んで対称に配置すると共に、中シェルの回転により一対のシャッタ部材を開閉動作させることを特徴としている。
【０００８】
本出願の請求項２記載のディスクカートリッジは、一対のシャッタ部材は略半円形とされた２枚の板体からなり、この一対のシャッタ部材が開口部を挟んで中シェルの一面側に配置され、それぞれのシャッタ部材において弦側の一側部に設けた軸部を中シェルに回転自在に支持すると共に弦側の他側部に設けたガイド溝に下シェル又は上シェルに設けたガイドピンを摺動可能に係合したことを特徴としている。
【０００９】
本出願の請求項３記載のディスクカートリッジは、中シェルの外周面を押圧して中シェルをロックするロック部材を設け、このロック部材の支持部を中シェルの押圧部よりも外側に設定したことを特徴としている。
【００１０】
本出願の請求項４記載のディスクカートリッジは、ロック部材は、中シェルに係合されるストッパ部と、このストッパ部を上記中シェルの押圧部に押圧するバネ片とを有し、このロック部材をエンジニアリングプラスチックによって形成したことを特徴としている。
【００１１】
上述のように構成したことにより、本出願の請求項１記載のディスクカートリッジでは、ディスクカートリッジにおいて、上下シェルで中シェルを回転自在に保持し、この中シェルの回転によって一対のシャッタ部材を開閉動作させるようにしたため、スプリングを用いることなく中シェルを所定位置に保持できるようにすると共に、小さな力で中シェルを回転させて一対のシャッタ部材をスムース且つ確実に開閉動作させることができる。しかも、一対のシャッタ部材とカートリッジ筐体間の隙間を小さくして微小なゴミや埃等がディスク収納室内に入り難くすることができ、カートリッジ筐体の防塵効果を高めることができる。
【００１２】
本出願の請求項２記載のディスクカートリッジでは、略半円形とされた一対のシャッタ部材の一側部に軸部を設けて他側部にはガイド溝を設け、軸部を中シェルに回転自在に支持すると共にガイド溝には下シェル又は上シェルに設けたガイドピンを摺動可能に係合するようにしたため、小さな力で中シェルを回転させてシャッタ部材の開閉動作を容易に行うことができると共に、シャッタ部材の面積を小さくしつつ広い範囲の開口部を開閉することができ、開口部の開閉効率を高めながらディスクカートリッジ全体の小型化、薄型化を図ることができる。
【００１３】
本出願の請求項３記載のディスクカートリッジでは、中シェルの外側にロック部材を配置し、このロック部材で中シェルの外周面を押圧するようにしたため、小さな力で中シェルを回転させてシャッタ部材の開閉動作を容易に行うことができると共に、衝撃や外力に対してはカウンタによってロックが強く働くようにし、一対のシャッタ部材を開き難くすることができる。
【００１４】
本出願の請求項４記載のディスクカートリッジでは、ストッパ部とバネ片を有するロック部材をエンジニアリングプラスチックによって一体成形することにより、中シェルを確実にロックできる部材を簡単且つ安価に形成することができる。
【００１５】
【発明の実施の形態】
以下、本発明の実施の形態を添付図面を参照して説明する。図１〜図２６は、本発明のディスクカートリッジの実施の例を示すものである。即ち、図１はディスクカートリッジの第１の実施例を下シェル側から見た分解斜視図、図２は同じく下シェル側から見たシャッタ閉状態の斜視図、図３は同じくシャッタ開状態の斜視図、図４は上シェルの底面図、図５は中シェルの底面図、図６は下シェルの平面図、図７は中シェルと一対のシャッタ部材の閉状態の斜視図、図８はディスクカートリッジの全体構成を示す平面図、図９はディスクカートリッジの中央部を断面した説明図、図１０Ａ〜Ｃは中シェルの回転と昇降動作との関係をそれぞれ示す説明図、図１１Ａ及びＢは中シェルの回転による昇降動作に基づくシャッタ部材の密着・開放状態をそれぞれ示す説明図である。
【００１６】
図１２はディスクカートリッジの第２の実施例を下シェル側から見た分解斜視図、図１３は同じく下シェル側から見たシャッタ閉状態の斜視図、図１４は同じくシャッタ開状態の斜視図、図１５は中シェルの底面図、図１６は下シェルの平面図、図１７は中シェルに作用する力関係を説明するための平面図、図１８は本発明のディスクカートリッジを使用可能な情報ディスク記録再生装置の回路構成の一実施例を示すブロック説明図、図１９はディスク記録再生装置に対する本発明のディスクカートリッジの挿入前の状態を示す斜視図、図２０は図１９に示すシャッタ開閉手段の斜視図、図２１はディスク記録再生装置に対するディスクカートリッジの挿入中の状態を示す斜視図である。
【００１７】
更に、図２２〜図２６は、シャッタ開閉手段の進退動作と中シェルの被操作部の回動との動作関係を示す動作説明図である。即ち、図２２は初期動作用凸部が開口窓に至る前の状態を示す説明図、図２３は初期動作用凸部が初期動作用凹部に係合した状態を示す説明図、図２４はラック部とギア部とが噛み合う初期状態を示す説明図、図２５はラック部とギア部とが噛み合う終期状態を示す説明図、図２６はストッパ用凸部がセット位置用凹部に係合した状態を示す説明図である。
【００１８】
第１の実施例として示すディスクカートリッジ１０は、ディスク状記録媒体として、オーディオ情報としての音楽信号やビデオ情報としての映像及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスク１１を収納したものである。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み又は読み出すようにした光磁気ディスクその他のディスク状をなす記憶媒体を適用することができるものである。
【００１９】
このディスクカートリッジ１０は、図１〜図３に示すように、一対の上シェル１３、中シェル１４及び下シェル１５を重ね合せることによって形成されるカートリッジ筐体１２と、このカートリッジ筐体１２内に形成されたディスク収納室１６内に回転自在に収納される光ディスク１１と、中シェル１４及び下シェル１５に形成された開口部２５，４２を開閉する一対のシャッタ部材１８ａ，１８ｂ等を備えて構成されている。このディスクカートリッジ１０は、光ディスク１１を水平にして使用する場合には、通常上シェル１３が上側に配されるが、図１においては説明上の便宜のために上下が逆とされており、上シェル１３を下側にした状態で書き表されている。
【００２０】
上シェル１３は、図１及び図４に示すように、正面側が円弧形状とされた略四角形をなす薄い皿状の部材からなる。この上シェル１３の下面（図１において表面として現れている面）の中央部には、中シェル１４の厚み方向の略上半分が回動可能に嵌合される円形の上側凹陥部１９ａが設けられている。この上側凹陥部１９ａを設けることによって上シェル１３の外周縁には、前縁部１３ａと左右の側縁部１３ｂ，１３ｃと後縁部１３ｄとが設けられている。この上シェル１３の前縁部１３ａ及び後縁部１３ｄの略中央部には、下シェル１５との位置合わせを行うための位置決め用凹部２１ａ及び２１ｂが設けられている。
【００２１】
また、上シェル１３の上側凹陥部１９ａの外周縁には、周方向に所定長さで連続する円弧状のカム溝２２が等間隔に３箇所に設けられている。そして、カム溝２２を３箇所に設けることにより、隣り合うカム溝２２，２２間の３箇所に所定長さのリフトアップ部２３（図４において格子縞状にハッチングした部分）が設けられている。この３箇所のカム溝２２には、中シェル１４に設けられたカム部４６が摺動可能に嵌合される。
【００２２】
この上シェル１３の下面に下シェル１５が重ね合わされる。下シェル１５は、図１及び図６に示すように、その外観形状は上シェル１３のそれと略同様とされており、正面側が円弧形状とされた略四角形をなす薄い皿状の部材からなる。この下シェル１５の平面（図１において裏面として隠れている面）の中央部には、中シェル１４の厚み方向の略下半分が回動可能に嵌合される円形の下側凹陥部１９ｂが設けられている。この下側凹陥部１９ｂを設けることによって下シェル１５の外周縁には、前縁部１５ａと左右の側縁部１５ｂ，１５ｃと後縁部１５ｄとが設けられている。この下シェル１５の前縁部１５ａ及び後縁部１５ｄの略中央部には、上シェル１３との位置合わせを行うための位置決め用凸部２４ａ及び２４ｂが設けられている。
【００２３】
この下シェル１５の凸部２４ａ，２４ｂを上シェル１３の凹部２１ａ，２１ｂにそれぞれ係合させることにより、上下シェル１３，１５が互いに位置合わせされて所定の状態で重ね合わされる。この上下シェル１３，１５内に形成された上下の凹陥部１９ａ，１９ｂからなる円形の空間部内に中シェル１４が回転自在に収納されている。
【００２４】
この下シェル１５の中央部には、ターンテーブルが出し入れされるテーブル用開口部２５ａが設けられている。このテーブル用開口部２５ａには、半径方向の一方に延在されたヘッド用開口部２５ｂが設けられている。このテーブル用開口部２５ａとヘッド用開口部２５ｂとによって、下シェル１５の開口部２５が形成されている。この開口部２５は、ディスク回転駆動装置のターンテーブルと光学ピックアップ装置の光学ヘッドを光ディスク１１に臨ませるためのもので、これらが自由に出入りできる広さに設定されている。
【００２５】
更に、ヘッド用開口部２５ｂの左右両端の内面には、シャッタ部材１８ａ，１８ｂとの間の隙間を塞ぐための遮蔽部２６ａ，２６ｂがそれぞれ設けられている。そして、下側凹陥部１９ｂ内には、テーブル用開口部２５ａを中心に斜め方向へ対称となるよう一対の操作凸部２７ａ，２７ｂが設けられている。
【００２６】
このような構成を有する上シェル１３と下シェル１５とによって形成される上下の凹陥部１９ａ，１９ｂ内に中シェル１４が収納され、この中シェル１４と上シェル１３とによって円形の空間部からなるディスク収納室１６が形成されている。このディスク収納室１６内に、光ディスク１１が半径方向外側及び厚み方向に所定の隙間を持たせて回転自在に収納されている。この光ディスク１１は、中央部にセンタ穴１１ａが設けられた厚みの薄い円板状の記録部材からなる。
【００２７】
この光ディスク１１の中央部の一面には、センタ穴１１ａを覆うようにセンタハブ２８が接着剤等の固着手段によって固定されている。このセンタハブ２８は、マグネットによって吸着される鉄板等の磁性材料によって形成されている。このセンタハブ２８にはディスク記録再生装置に内蔵されるディスク回転駆動装置のターンテーブルがセンタ穴１１ａを介して嵌合される。このターンテーブルに設けられたマグネットの磁力によってセンタハブ２８が吸着される。これにより、光ディスク１１がターンテーブルにチャッキングされて回転方向に一体化され、このターンテーブルが取り付けられるスピンドルモータの駆動により、所定速度（例えば、線速度一定）で回転される。
【００２８】
また、上下シェル１３，１５の一方の側縁部１３ｂ，１５ｂの略中央部には、中シェル１４の外周面の一部を露出させるための開口窓３０が設けられている。この開口窓３０は、上シェル１３の接合部に設けた上側切欠き部３０ａと、下シェル１５の接合部に設けた下側切欠き部３０ｂとによって形成されている。更に、上下シェル１３，１５の一方の側縁部１３ｂ，１５ｂには、その接合面に沿って前後方向に延びるガイド溝３１が設けられている。このガイド溝３１は、後述するシャッタ開閉手段が挿入されるもので、ディスクカートリッジ１０をディスク記録再生装置に装着する際の誤挿入防止等の役割を併せ持つものである。このガイド溝３１には開口窓３０が連通されている。
【００２９】
更に、上下シェル１３，１５の一方の側縁部１３ｂ，１５ｂの前隅部には、ロック部材３２が回動可能に収納されるロック収納部３３が設けられている。このロック収納部３３は凹陥部１９ａ，１９ｂに連通されていると共に、一方の側縁部１３ｂ，１５ｂに設けられた開口穴３４を介してガイド溝３１に連通されている。更に、上シェル１３のロック収納部３３には、ロック部材３２を回動自在に支持する支持部である支持軸３５が、下シェル１５側へ突出するように設けられている。
【００３０】
ロック部材３２は、図１に示すように、支持軸３５に回動自在に嵌合されて平面方向へ揺動可能とされたレバー状の部材によって形成されている。このロック部材３２の長手方向の一端には突起状のストッパ部３６が設けられ、長手方向の他端には同じく突起状の入力部３７が設けられている。更に、ロック部材３２には、ストッパ部３６と対向するよう同方向に突出されたバネ片３８が一体に設けられている。このロック部材３２の材質としては、例えば、ポリアセタール（ＰＯＭ）が好適であるが、その他のエンジニアリングプラスチックを適用することができることは勿論である。
【００３１】
このような構成を有するロック部材３２は、ストッパ部３６を凹陥部１９ａ，１９ｂ側に向けた状態で支持軸３５に嵌合され、バネ片３８が前縁部１３ａ，１５ａの内面に当接される。このバネ片３８のバネ力によってストッパ部３６が凹陥部１９ａ，１９ｂ側に付勢され、これの反作用として入力部３７が開口穴３４を内側から貫通してガイド溝３１内に突出される。その結果、ストッパ部３６が中シェル１４の後述する被操作部４３のうち、後滑り部４３ｃに設けられるセット位置用凹部４４ｂに係合される。これにより、中シェル１４がロック部材３２によりロックされ、その回転が防止される。
【００３２】
このような上シェル１３及び下シェル１５の上下凹陥部１９ａ，１９ｂ内に回転可能に嵌合される中シェル１４は、図１及び図５等に示すような構成を備えている。この中シェル１４は、円盤状の薄い板材からなる平面部１４ａと、この平面部１４ａの外周縁に連続して設けられたリング部１４ｂとを有している。この中シェル１４の平面部１４ａに開口部４２が形成されている。この開口部４２は、下シェル１５の開口部２５と形状及び大きさが略等しく形成されている。
【００３３】
即ち、開口部４２も開口部２５と同様に、平面部１４ａの中央部に設定され且つターンテーブルが出し入れされるテーブル用開口部４２ａと、このテーブル用開口部４２ａの直径方向両側に設定され且つ光学ヘッドが１個ずつ対向されるヘッド用開口部４２ｂ，４２ｂとを有している。そして、平面部１４ａのテーブル用開口部４２ａの内周縁には、自由状態において光ディスク１１の内側非記録領域を下方から支える支持縁部１４ｃが設けられている。
【００３４】
また、中シェル１４のリング部１４ｂの外周面の一部には、シャッタ開閉手段により係合されてその往復動作により中シェル１４を所定の角度範囲内において回動させる被操作部４３が設けられている。この被操作部４３は、図５及び図７等に示すように、周方向の所定範囲（略３０°程度）に渡って多数の歯が設けられたギア部４３ａと、このギア部４３ａの一側に連続して設けられた前滑り部４３ｂと、ギア部４３ａの他側に連続して設けられた後滑り部４３ｃとを有している。
【００３５】
被操作部４３の前滑り部４３ｂの外周面はギア部４３ａの歯先円と略同じ高さに設定され、また、後滑り部４３ｃの外周面はギア部４３ａの歯底円と略同じ高さに設定されている。そして、前滑り部４３ｂの周方向の略中央部には断面円弧状の切欠きからなる初期動作用凹部４４ａが設けられ、後滑り部４３ｃの周方向の略中央部には断面台形状の切欠きからなるセット位置用凹部４４ｂが設けられている。この被操作部４３のギア部４３ａ及び前後の滑り部４３ｂ，４３ｃがリング部１４ｂの外周面から外側へ突出するように設けられているため、上シェル１３及び下シェル１５の対応する部分には、これら突出部４３ａ〜４３ｃとの接触を回避してその通過を許容するための逃げ溝４５ａが設けられている。
【００３６】
更に、下シェル１５の逃げ溝４５ａの両端部には、各滑り部４３ｂ，４３ｃの移動軌跡上に突出された前後の停止部４５ｂ，４５ｃが設けられている。この前停止部４５ｂに後滑り部４３ｃの後端縁が当接することにより、中シェル１４が下シェル１５に対して最大角度回転変位して開口部２５と開口部４２とが最も大きくずれた閉鎖状態となる。一方、後停止部４５ｃに前滑り部４３ｂの前端縁が当接することにより、中シェル１４が初期位置に戻り、開口部２５と開口部４２とが重なり合って大きく開かれた状態となる。
【００３７】
また、中シェル１４のリング部１４ｂの一方の端面には、周方向の３箇所において所定の長さで連続する円弧状のカム部４６（図５において多数の点にて表した部分）が設けられている。これらのカム部４６は、中シェル１４を上シェル１３に組み立てた状態において、上シェル１３の３箇所のカム溝２２にそれぞれ係合される。この中シェル１４が所定角度回転することにより、各カム部４６が３箇所のリフトアップ部２３にそれぞれ乗り上げられる。
【００３８】
この中シェル１４のリング部１４ｂの他方の端面には、カム部４６と反対側に突出する円弧状の突条部４７が２箇所に設けられている。これらの突条部４７，４７は、一対のシャッタ部材１８ａ，１８ｂの半径方向外側への移動を制限するものである。更に、中シェル１４の平面部１４ａには、一対のシャッタ部材１８ａ，１８ｂを平面方向へ回動自在に支持するための一対の支持孔４９，４９が設けられている。この一対の支持孔４９，４９は、テーブル用開口部４２ａを中心にして一方がヘッド用開口部４２ｂの縁部分に位置するよう点対称に配設されている。
【００３９】
このような構成を有する中シェル１４は、図８等に示すように、下シェル１５及び上シェル１３に対して所定の位置関係を持って組み立てられる。即ち、カートリッジ筐体１２の組立時、下シェル１５の開口部２５に中シェル１４の開口部４２を一致させるように重ね合わせる。このとき、カートリッジ筐体１２の開口窓３０には、中シェル１４の被操作部４３のうち、ギア部４３ａの一側に連続する前滑り部４３ｂが配置される。従って、開口窓３０の略中央部に初期動作用凹部４４ａが設置される。
【００４０】
この状態から、中シェル１４が所定角度回転することにより下シェル１５の開口部２５に対して中シェル１４の開口部４２が最大に傾いた状態となり、一対のシャッタ部材１８ａ，１８ｂによって開口部４２が完全に閉じられたとき、ギア部４３ａの他側に連続する後滑り部４３ｃが開口窓３０まで移動する。これにより、開口窓３０の略中央部にセット位置用凹部４４ｂが設置される。
【００４１】
この中シェル１４に一対の支持孔４９，４９を介して取り付けられるシャッタ機構１８は、同一の形状及び大きさとされた２枚で一対のシャッタ部材１８ａ，１８ｂによって構成されている。一対のシャッタ部材１８ａ，１８ｂは、図１及び図７等に示すような形状及び構造を有している。即ち、一対のシャッタ部材１８ａ，１８ｂは、略半円形をなす薄い板体によって形成されている。各シャッタ部材１８ａ，１８ｂの弦側辺の略中央部には、弦線と直交する方向に所定の長さで形成された段部５０が設けられており、この段部５０によってその両側に凸側接合部５０ａと凹側接合部５０ｂとが形成されている。
【００４２】
更に、シャッタ部材１８ａ，１８ｂの各接合部５０ａ，５０ｂには、弦の延在方向と直交する方向に庇状に突出する庇部５１ａ，５１ｂがそれぞれ設けられている。かくして、一対のシャッタ部材１８ａ，１８ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材１８ａ，１８ｂの弦側辺の凸側接合部５０ａ側の端部である軸取付部５０ｃには、庇部５１ａ，５１ｂ側に突出する軸部５２がそれぞれ設けられている。
【００４３】
この軸部５２を平面部１４ａの支持孔４９に嵌合させることにより、各シャッタ部材１８ａ，１８ｂが中シェル１４にそれぞれ回動自在に取り付けられる。この際、一対のシャッタ部材１８ａ，１８ｂは、互いの弦側辺を対向させて取り付けるようにする。その結果、一対のシャッタ部材１８ａ，１８ｂをそれぞれ外側へ離反させるように回動させたとき、各シャッタ部材１８ａ，１８ｂは平面部１４ａ上に載置され、開口部４２が完全に開かれる。一方、一対のシャッタ部材１８ａ，１８ｂをそれぞれ内側へ回動させて互いの接合部５０ａ，５０ｂをそれぞれ当接させることにより、図７に示すように、略円形となる一対のシャッタ部材１８ａ，１８ｂによって開口部４２の中央部が完全に遮蔽される。
【００４４】
更に、各シャッタ部材１８ａ，１８ｂの軸部５２と反対側には、このシャッタ部材１８ａ，１８ｂを開閉動作させるための開閉溝５３がそれぞれ設けられている。各開閉溝５３は、軸部５２を中心に放射方向へ延びるように形成されている。この開閉溝５３には、下シェル１５の操作凸部２７ａ，２７ｂが摺動可能に係合される。更に、各開閉溝５３の外側の端部には、周囲に切り込みを入れることによって形成された弾性片５４と、操作凸部２７ａ，２７ｂを逃がすための凹部５３ａとが設けられている。
【００４５】
上述した上シェル１３、中シェル１４、下シェル１５及びシャッタ部材１８ａ，１８ｂの材質としては、例えば、ＡＢＳ樹脂（アクリロニトリル・ブタジエン・スチレン樹脂）やＨＩＰＳ（高衝撃性ポリスチレン）等の合成樹脂が好適である。しかしながら、その他のエンジニアリングプラスチックを適用できることは勿論のこと、アルミニウム合金、ステンレス鋼その他の金属材料を用いることもできる。
【００４６】
尚、図示しないが、ディスクカートリッジ１０について、例えば、カートリッジ筐体１２の後部隅部等に、光ディスク等の記録媒体に記録された情報の誤消去を防止するための誤消去防止機構を設ける構成とすることもできる。このような誤消去防止機構としては、例えば、カートリッジ筐体１２の背面に開口する操作窓と、この操作窓を開閉可能に装着される誤消去防止片等によって構成することができる。
【００４７】
上述したような構成を有するディスクカートリッジ１０は、例えば、次のようにして簡単に組み立てることができる。このディスクカートリッジ１０の組立作業は、図１に示すように、上シェル１３を下に配置した状態で行われる。まず、上シェル１３の上側凹陥部１９ａ内に光ディスク１１を載置する。このとき、光ディスク１１は、センタハブ２８のある面を下にして上側凹陥部１９ａ内に入れ込む。
【００４８】
次に、光ディスク１１を覆うように中シェル１４の開口側を上側凹陥部１９ａに嵌合させる。これにより、中シェル１４と上シェル１３とで形成されるディスク収納室１６内に光ディスク１１が回転自在に収納される。このとき、中シェル１４の開口部４２が延在する方向を上シェル１３の前後方向に一致させ、被操作部４３の前滑り部４３ｂを開口窓３０に臨ませる。
【００４９】
次に、シャッタ機構１８を中シェル１４に組み立てる。これは、一対のシャッタ部材１８ａ，１８ｂの互いの弦側を対向させ、この状態で軸部５２を平面部１４ａの支持孔４９にそれぞれ嵌合させる。そして、各シャッタ部材１８ａ，１８ｂを互いに離反させ、中シェル１４の平面部１４ａ上にそれぞれ載置させる。
【００５０】
これと同時に、又は前後して、ロック収納部３３の支持軸３５にロック部材３２を取り付ける。この際、ロック部材３２のバネ片３８を上シェル１３の前縁部１３ａの内面に当接させ、このバネ片３８のバネ力によって入力部３７を開口穴３４からガイド溝３１内に突出させる。そして、ロック部材３２のストッパ部３６を被操作部４３のセット位置用凹部４４ｂに係合させる。その結果、中シェル１４がロック部材３２によってロックされる。
【００５１】
次に、シャッタ機構１８を含む中シェル１４の上に下シェル１５を被せ、この下シェル１５を上シェル１３に重ね合わせる。このとき、下シェル１５の位置決め用凸部２４ａ，２４ｂを上シェル１３の同じく位置決め用凹部２１ａ，２１ｂに嵌め込む。これにより、下シェル１５が上シェル１３に対して自動的に位置決めされる。この際、一対のシャッタ部材１８ａ，１８ｂを上述した位置に配置しておくことにより、下シェル１５の下側凹陥部１９ｂ内に設けた一対の操作凸部２７ａ，２７ｂを一対の開閉溝５３にそれぞれ対向させることができる。そのため、一対の開閉溝５３の位置を気に掛けることなく、下シェル１５を上シェル１３に重ね合わせるだけで一対の操作凸部２７ａ，２７ｂを一対の開閉溝５３に係合させることができる。
【００５２】
その後、複数本の固定ネジを用いて下シェル１５を上シェル１３に締め付け固定する。これにより、図９に示すような断面構成を有するディスクカートリッジ１０の組立作業が完了する。この場合、固定ネジ等の別部材からなる固着手段を用いることなく、例えば、接着剤等を用いて上シェル１３と下シェル１５の接合面を直に接合する構成とすることもできる。このように、本実施例に係るディスクカートリッジ１０によれば、使用される構成部品の数が少なく、しかも、極めて簡単に組立作業を行うことができる。
【００５３】
図１２〜図１６は、本願発明の第２の実施例を示すものである。この実施例に示すディスクカートリッジ８０は、光学ヘッドが２個のディスク記録再生装置に使用するようにした２ヘッドタイプのものである。このディスクカートリッジ８０は、図１２から明らかなように、図１等に示した第１の実施例に係るディスクカートリッジ１０と異なるところは、中シェル８４の開口部８６及び下シェル８５の開口部８７の形状のみであり、その他の形状及び構成は同一である。そのため、図１と同一部分には同一符号を付してその説明を省略し、構成の異なる開口部８６，８７について説明する。
【００５４】
中シェル８４の開口部８６は、上述した中シェル１４の開口部４２に、一方のヘッド用開口部４２ｂに対向する他方のヘッド用開口部４２ｂを直線的に延在させて設けたものである。即ち、開口部８６は、中央部に設けられた円形のテーブル用開口部８６ａと、このテーブル用開口部８６ａを通って直径方向に延びる左右のヘッド用開口部８６ｂ，８６ｂとから構成されている。また、下シェル８５の開口部８７も中シェル８４の開口部８６と同様に、上述した下シェル１５の開口部２５に、一方のヘッド用開口部２５ｂに対向する他方のヘッド用開口部２５ｂを直線的に延在させて設けたものである。即ち、開口部８７は、中央部に設けられた円形のテーブル用開口部８７ａと、このテーブル用開口部８７ａを通って前側に延在されて前端縁及び後端縁まで達する略長方形をなすヘッド用開口部８７ｂ，８７ｂとから構成されている。
【００５５】
このように、１ヘッド用の中シェル１４及び下シェル１５を２ヘッド用の中シェル８４及び下シェル８５に代えて使用することにより、一度に２個の光学ヘッドの使用が可能となる。これにより、例えば、一方の光学ヘッドによって新たな情報信号を記録しながら、他方の光学ヘッドによって記録されたばかりの情報信号の記録状態の確認作業を行うことができる。しかも、中シェル及び下シェルを１ヘッド用のものと２ヘッド用のものとで交換するだけで、ディスクカートリッジの製造を１ヘッド用と２ヘッド用に簡単に対応することができ、製造組立ラインの共通化が可能であって、需要者のニーズに適切に対応することができる。
【００５６】
上述したような構成を有するディスクカートリッジ１０，８０によれば、小さい力によって中シェル１４，８４を回動させることができ、従って、小さい駆動力によって一対のシャッタ部材１８ａ，１８ｂを開閉動作させることができる一方、外部から入力される衝撃や振動に対しては中シェル１４，８４にカウンタを働かせて一対のシャッタ部材１８ａ，１８ｂを開き難くすることができる。この点について、図１７を参照して説明する。
【００５７】
中シェル１４，８４が上下シェル１３，１５の凹陥部１９ａ，１９ｂ内に微小な隙間をあけて摺動可能に収納されており、この中シェル１４，８４をロック部材３２のバネ力で一側に押圧する構成となっている。そのため、中シェル１４，８４を回動させるためには、中シェル１４，８４自体の自重に加えてシャッタ部材１８ａ，１８ｂの自重による摩擦力のほかに、ロック部材３２の付勢力による摩擦力に打ち勝つ力が必要とされる。そのため、中シェル１４，８４の動きを鈍くして外部から入力される衝撃や振動に対するカウンタとして働かせることができ一対のシャッタ部材１８ａ，１８ｂを開き難くすることができる。
【００５８】
更に、ロック部材３２を中シェル１４，８４の外側に設け、そのロック部材３２の回転中心ＢＣを中シェル１４，８４の外周面より外側に設定して、その外周面に設けた凹部４４ｂにロック部材３２のストッパ部３６が係合される係合部ＬＣを内側に設定する構成とした。そのため、中シェル１４（又は８４）と上下シェル１３，１５（又は８５）との接触面中心をＲＣとすると、中シェル１４（又は８４）が転がろうとするモーメントＭは、接触面中心ＲＣから係合部ＬＣまでの長さに、その係合部ＬＣに接線方向から加えられる力Ｗを掛けたものである（Ｍ＝長さＲＣ〜ＬＣ×Ｗ）。
【００５９】
一方、ロック部材３２の付勢力Ｇは、バネ片３８のバネ力によってストッパ部３６に付与される力であり、この付勢力Ｇが中シェル１４（又は８４）の回転力に対向することになる。このロック部材３２の付勢力Ｇが中シェル１４（又は８４）の略中央に向かって作用する一方、中シェル１４（又は８４）の回転力は、付勢力Ｇと略直交する方向である接線方向に作用する。そのため、接線方向の力Ｗによってストッパ部３６は、常に凹部４４ｂ側に押圧されるように付勢されて食い込む状態となる。
【００６０】
しかも、接線方向の力Ｗと付勢力Ｇの大きさは、長さＲＣ〜ＬＣと腕の長さＢＣ〜ＬＣとに比例するため、中シェル１４（又は８４）に作用する回転力が小さいものであっても、長さＲＣ〜ＬＣ／腕の長さＢＣ〜ＬＣに比例して増大される。そのため、ロック部材３２による中シェル１４（又は８４）のロックを確実なものとして、中シェル１４（又は８４）の回転を確実に防止することができる。従って、シャッタ機構１８による下シェル１５（又は８５）の開口部２５（又は８７）及び中シェル１４（又は８４）の開口部４２（又は８６）の閉鎖状態を確実に保持することができ、衝撃や振動等に起因してシャッタ機構１８が誤って開かれるのを確実に防止することができる。
【００６１】
このようなディスクカートリッジ１０，８０は、図１９及び図２１に示すように、ディスク記録再生装置６０に挿入することにより、このディスク記録再生装置６０に設けられているシャッタ開閉手段によってロック部材３２のロック状態が解除される。その後、このシャッタ開閉手段によってシャッタ機構１８が開放され、開口部２５，４２（又は８６，８７）が開かれる。このシャッタ機構１８の開閉動作は、後に詳細に説明する。
【００６２】
次に、ディスク記録再生装置６０について説明する。このディスク記録再生装置６０は、図１９及び図２１に示すように、中空の筐体からなる外装ケース６１と、この外装ケース６１内に収納された記録再生装置本体６２等を備えて構成されている。外装ケース６１は、上面及び前面に開口されたケース本体６３と、このケース本体６３の上面を閉じるように上部に着脱可能に取り付けられたケース蓋体６４と、ケース本体６３及びケース蓋体６４の前面を閉じるように前部に着脱可能に取り付けられた前部パネル６５等を備えている。
【００６３】
ケース本体６３の４箇所には、下方に突出する脚体６３ａが設けられている。これらの脚体６３ａによってディスク記録再生装置６０が支えられ、適宜位置に取り付けられる。前部パネル６５は、横長とされた板状部材からなり、その上部には横長のカートリッジ出入口６６が設けられている。カートリッジ出入口６６は、ディスクカートリッジ１０，８０の正面側の大きさと略同程度の大きさに形成されている。このカートリッジ出入口６６は、その内側に配置された開閉扉６７によって常時は閉じられている。
【００６４】
この開閉扉６７をディスクカートリッジ１０の前部で押圧し、図２１に示すように、所定の位置まで差し込む。これにより、図示しないローディング機構によってディスクカートリッジ１０，８０が自動的に取り込まれる。そして、ローディング機構で搬送されたディスクカートリッジ１０，８０は、ディスク記録再生装置６０内の所定位置で位置決めされて固定される。これと同時に又は前後して、ディスク記録再生装置６０に設けられているシャッタ開閉手段によってシャッタ機構１８が開放動作され、開口部２５，４２が開放される。
【００６５】
このシャッタ開閉手段の一具体例を示すラック棒７０を、図２０に示している。このラック棒７０は、中シェル１４，８４の被操作部４３のギア部４３ａに噛合されるラック部７１と、このラック部７１の先端側に設けられた初期動作用凸部７２と、ラック部７１の基端側に設けられたストッパ用凸部７３等を備えている。ラック棒７０のラック部７１は真っ直ぐな棒材の中途部において一面側に突出するように形成されており、ギア部４３ａと略同数の歯を有している。
【００６６】
このラック部７１の先端側に、ラック棒７０と同方向に延びる適宜な弾性を有する前弾性片７２ａが設けられている。この前弾性片７２ａの先端部に、ラック部７１の歯と同方向に突出する初期動作用凸部７２が設けられている。また、ラック部７１の基端側に、同じくラック棒７０と同方向に延びる適宜な弾性を有する後弾性片７３ａが設けられている。この後弾性片７３ａの先端部に、ラック部７１の歯と同方向に突出するストッパ用凸部７３が設けられている。このストッパ用凸部７３と初期動作用凸部７２とラック部７１とは、同一直線上に設定されている。
【００６７】
更に、初期動作用凸部７２は、断面形状は円弧状とされているが、その大きさ及び高さはラック部７１の歯と略同程度に形成されている。一方、ストッパ用凸部７３は、断面形状はラック部７１の歯と同様に山形とされているが、その大きさ及び高さはやや大きめに形成されている。そして、前後の弾性片７２ａ，７３ａに適度な大きさを弾性を付与することにより、初期動作用凸部７２及びストッパ用凸部７３に対して後退動作が弾性的に行われるようにしている。図２０において、符号７４は、ラック棒７０の補強を兼ねたガイド部である。このガイド部７４は、ディスクカートリッジ１０，８０のガイド溝３１に係合される。
【００６８】
このような構成を有するラック棒７０の作用による中シェル１４，８４の回動、及びシャッタ機構１８の開閉動作は、後に詳細に説明する。
【００６９】
図１２に示すように、ラック棒７０の作用によって開口部２５，４２（又は８６，８７）が開放されると、その開口部２５，４２（又は８６，８７）内にディスク回転駆動装置６８のターンテーブル６８ａと光学ピックアップ装置６９の光学ヘッド６９ａとが入り込む。そして、ターンテーブル６８ａが光ディスク１１のセンタ孔１１ａに係合し、ターンテーブル６８ａに内蔵されているマグネットによってセンタハブ２８を吸着して保持する。これと同時に又は前後して、光学ヘッド６９ａが光ディスク１１の情報記録領域２９ａに所定位置まで接近する。これにより、ディスク記録再生装置６０による光ディスク１１に対する情報信号の記録及び再生操作が可能となる。
【００７０】
このディスク記録再生装置６０の記録再生装置本体６２は、例えば、図１８に示すような構成要素を備えて構成されている。即ち、記録再生装置本体６２は、システムコントローラＳ１とメモリーコントローラＳ５とドライブコントローラＤ１との３つの制御装置を備えている。システムコントローラＳ１とメモリーコントローラＳ５とは直に接続されていて、その接続ラインには読取り専用記憶装置（ＲＯＭ）Ｓ２と読取り書込み記憶装置（ＲＡＭ）Ｓ３とが接続されている。更に、メモリーコントローラＳ５には、メモリーＳ４とＭＰＥＧ２（３Ｍ〜４０Ｍbps に対応した既存のテレビ放送、ＨＤＴＶ、広帯域ＩＳＤＮなどに応用される動画圧縮方式）用のエンコーダーＳ６及びデコーダーＳ７とが接続されている。更に、システムコントローラＳ１には、コントロールパネルＳ８とリモコン受信部Ｓ９とが接続されている。
【００７１】
また、ドライブコントローラＤ１にはＥＣＣＤ４が接続されていて、その接続ラインには記憶装置（ＲＯＭ）Ｄ２及び記憶装置（ＲＡＭ）Ｄ３と、サーボ回路Ｄ６及びアドレスデコーダーＤ７とが接続されている。更に、ドライブコントローラＤ１には記録時のエラーを判断する記録時エラー判断回路Ｄ８が接続されている。このドライブコントローラＤ１は、コマンド用インタフェースを介してシステムコントローラＳ１に接続されている。また、ＥＣＣＤ４、データ用インタフェースを介してメモリーコントローラＳ５に接続されていると共に、変復調回路Ｄ５にも接続されている。そして、変復調回路Ｄ５は、光学ピックアップ装置６９の光学ヘッド６９ａに接続されている。
【００７２】
また、サーボ回路Ｄ６は、ディスク回転駆動装置であるスピンドルモータ６８と、光学ピックアップ装置６９と、記録時エラー判断回路Ｄ８とに接続されている。更に、光学ピックアップ装置６９はアドレスデコーダーＤ７に接続され、このアドレスデコーダーＤ７は記録時エラー判断回路Ｄ８にも接続されている。
【００７３】
次に、上述したような構成を有するディスク記録再生装置６０のカートリッジ出入口６６からディスクカートリッジ１０を挿入する場合におけるラック棒７０によるシャッタ機構１８の開閉作用を図２２〜図２６を用いて説明する。このとき、ディスクカートリッジ１０をシャッタ機構１８は完全に閉じられた状態にあるものとする。
【００７４】
図２１に示すようにディスクカートリッジ１０をディスク記録再生装置６０のカートリッジ出入口６６に所定量挿入すると、ディスク記録再生装置６０に内蔵されたラック棒７０の初期動作用凸部７２が、ディスクカートリッジ１０の一方の側面部に設けたガイド溝３１内に入り込む。これにより、図示しないが、初期動作用凸部７２がガイド溝３１内に突出されているロック部材３２の入力部３７を、バネ片３８の付勢力に抗してロック収納部３３内に押し込める。これにより、ロック部材３２が支持軸３５を中心に回動してストッパ部３６がセット位置用凹部４４ｂから抜け出す。その結果、中シェル１４のロックが解除され、その回動が自由となる。
【００７５】
更に、図２２に示すように、カートリッジ挿入方向Ｆにディスクカートリッジ１０を挿入し、ラック棒７０に対してディスクカートリッジ１０が相対的に前進することにより、初期動作用凸部７２が中シェル１４の被操作部４３の前滑り部４３ａに当接し、この前滑り部４３ａを高い方に乗り上げる。このとき、前弾性片７２ａが適当な強さの弾性を有するため、前弾性片７２ａの撓みによって初期動作用凸部７２が後方に撓み移動し、前滑り部４３ａの最高部を乗り越える。その結果、図２３に示すように、初期動作用凸部７２が初期動作用凹部４４ａ内に入り込む。この凸部７２が凹部４４ａに係合することにより、ラック棒７０からの反力によって中シェル１４が、同図において反時計方向Ｎに回動される。
【００７６】
その結果、図２４に示すように、ラック棒７０との間の相対的な移動量に応じて中シェル１４が所定角度回転することにより、凸部７２が凹部４４ａから離れる前にラック部７１が被操作部４３のギア部４１ａに噛み合う。これにより、動力伝達経路が強固になり、ラック棒７０からの反力が確実に伝達されて、中シェル１４が所定角度回転する。そして、図２５に示すように、直線的に前進するラック部７１と曲線的に前進するギア部４１ａとの噛み合いが解除される前に、ストッパ用凸部７３が被操作部４３の後滑り部４３ｂに設けたセット位置用凹部４４ｂに係合される。そして、図２６に示すように、ストッパ用凸部７３がセット位置用凹部４４ｂにしっかりと噛み合ったところで、ラック部７１とギア部４１ａとの噛み合いが解除される。
【００７７】
これと同時に、ディスクカートリッジ１０の挿入動作が終了し、ディスクカートリッジ１０が所定位置にセットされる。このセット状態では、ストッパ用凸部７３がセット位置用凹部４４ｂにしっかりと噛み合っているため、中シェル１４が回動するおそれもない。
【００７８】
このとき、中シェル１４が回動を開始する初期状態では、図１０Ｃ及び図１１Ａに示すように、中シェル１４のカム部４６がリフトアップ部２３に乗り上げる。そのため、中シェル１４と上シェル１３との間で一対のシャッタ部材１８ａ，１８ｂを挟持した状態となることから、中シェル１４の回転動作には比較的大きな力が必要とされる。このカム部４６の乗り上げによる大きさ摩擦力に抗して中シェル１４を回転させることにより、図１０Ｂ及び図１１Ｂに示すように、カム部４６がリフトアップ部２３を通過してカム溝２２内に入り込む。その結果、カム部４６の摩擦力が消滅するため、これ以後の中シェル１４の回転動作は、極めて軽く且つスムースに行うことができようになる。
【００７９】
また、一対のシャッタ部材１８ａ，１８ｂの各軸部５２が、中シェル１４の回動によって同様に回動される一方、他端側に設けた開閉溝５３には下シェル１５の操作凸部２７ａ，２７ｂがそれぞれ摺動可能に係合されている。この一対の操作凸部２７ａ，２７ｂは下シェル１５に設けられていて、この操作凸部２７ａ，２７ｂは移動することがない。その一方、一対のシャッタ部材１８ａ，１８ｂの各開閉溝５３は、操作凸部２７ａ，２７ｂとの間に相対移動が可能なように軸部５２と操作凸部２７ｂ（又は２７ａ）とを結ぶ方向に延在されている。
【００８０】
そのため、シャッタ部材１８ａ，１８ｂの回動量に応じて操作凸部２７ｂ（又は２７ａ）が開閉溝５３内を軸部５２側に移動する。これにより、各シャッタ部材１８ａ，１８ｂにおいて軸部５２が対応する操作凸部２７ｂ（又は２７ａ）側に移動する。その結果、各シャッタ部材１８ａ，１８ｂが、図２２の状態から、図２３、図２４及び図２５の状態を経て、図２６に示すように、開口部２５，４２を挟んで左右に対向する位置に移動する。これにより、中シェル１４の開口部４２と下シェル１５の開口部２５とが完全に開放される。そのため、ディスク収納室１６内に収納されている光ディスク１１の一部が開口部２５，４２から露出される。
【００８１】
その結果、開口部２５，４２に対するターンテーブル６８ａ及び光学ヘッド６９ａの挿入が可能となる。そこで、ターンテーブル６８ａ等をディスクカートリッジ１０側へ移動するか又はディスクカートリッジ１０をターンテーブル６８ａ側へ移動することにより、ターンテーブル６８ａが中央部のテーブル用開口部２５ａ，４２ａ内に入り込み、光学ヘッド６９ａがサイドのヘッド用開口部２５ｂ，４２ｂ内に入り込む。その結果、ターンテーブル６８ａに光ディスク１１が装着されてチャッキングされると共に、光学ヘッド６９ａが所定の間隔を保持して光ディスク１１の情報記録領域２９ａに対面される。これにより、ディスク記録再生装置６０による光ディスク１１の情報記録領域２９ａに対する情報信号の再生又は記録が可能となる。
【００８２】
そこで、記録再生装置本体６２を動作させ、スピンドルモータ６８の駆動によりターンテーブル６８ａを介して光ディスク１１を回転させると共に、光学ピックアップ装置６９の駆動により光学ヘッド６９ａからレーザ光を出射して情報記録領域２９ａに予め記録されている情報信号を読み出し、又はその情報記録領域２９ａに対して新たな情報信号を書き込むことができる。これにより、記録再生装置本体６２による情報信号の再生又は記録が実行される。
【００８３】
次に、ディスクカートリッジ１０を排出する場合について説明する。情報信号の再生又は記録の後、例えば、ディスク記録再生装置６０に設けられるカートリッジ排出ボタン（図示せず）を操作することにより、ローディング機構の作動を介してディスクカートリッジ１０がディスク記録再生装置６０から排出される。即ち、ローディング機構の排出動作によってディスクカートリッジ１０が排出方向に移動すると、相対的にラック棒７０が後退動作される。
【００８４】
このラック棒７０に対するディスクカートリッジ１０の後退動作により、セット位置用凹部４４ｂに係合されているストッパ用凸部７３によって中シェル１４が回動される。そして、凸部７３が凹部４４ｂから離れる前にラック部７１がギア部４３ａに噛合し、この噛み合いによって中シェル１４が引き続き回動される。このとき、凸部７３の先端が開口窓３０内に入り込んでいるため、その凸部７３が開口窓３０の縁に当接するが、その凸部７３と一体の後弾性片７３ａが適度な大きさの弾性を有するため、この後弾性片７３ａの撓み変形によって凸部７３が外側へ変位し、開口窓３０の縁を乗り越えてガイド溝３１に乗り上げる。そのため、凸部７３の高さがラック部７１の歯の高さより高いにも係わらず、凹部４４ｂから離れた凸部７３が開口窓３０から容易に抜け出すことができ、従って、その後の中シェル１４の回動を確保することができる。
【００８５】
この中シェル１４の回動により、開口窓３０内においてラック部７１がギア部４３ａから離れる前に初期動作用凸部７２が初期動作用凹部４４ａに係合される。この凸部７２と凹部４４ａとの係合によって中シェル１４の回動が継続され、中シェル１４が最初の位置まで回動される。これにより、被操作部４３の後滑り部４３ｃの端面が下シェル１５の停止部４５ｂに当接されるため、以後の中シェル１４の回動が阻止される。
【００８６】
これに対して、ディスクカートリッジ１０とラック棒７０との間には相対移動が引き続き生じているため、凹部４４ａに係合されている凸部７２の移動力によって中シェル１４には回転力が付与される。この回転力の反力が凸部７２に付与され、この反力を受けて前弾性片７２ａが撓み変形し、凸部７２が外側へ移動して凹部４４ａとの係合が解除される。その後、ラック棒７０の凸部７２が開口穴３４を通過することにより、ロック部材３２の入力部３７が開口穴３４からガイド溝３１内に突出される。これと同時に、ストッパ部３６が内側に移動して中シェル１４の被操作部４３のセット位置用凹部４４ｂに噛み合わされる。その結果、ロック部材によって中シェル１４がロックされ、その回動が停止される。
【００８７】
この際、一対のシャッタ部材１８ａ，１８ｂは、上述した挿入時とは逆の動作を実行し、開口部２５，４２を完全に閉じる。また、中シェル１４のカム部４６はカム溝２２内にあるため、中シェル１４を軽い力で回転させることができる。更に、カム部４６がリフトアップ部２３に当接して乗り上げるため、これ以後、中シェル１４の回動には上述した摩擦力が加えられる。そして、シャッタ機構１８が閉じる直前において、操作凸部２７ｂ（又は２７ａ）が開閉溝５３を最外側部まで移動し、弾性片５４に接触してこれを押圧する。これにより、操作凸部２７ｂ（又は２７ａ）の押圧力によって弾性片５４にバネ力が発生する。
【００８８】
この弾性片５４のバネ力によって中央の段部５０には、他方のシャッタ部材１８ａ（又は１８ｂ）に作用する圧接力が発生する。この圧接力は、一対のシャッタ部材１８ａ，１８ｂの両者に発生するため、互いの圧接力によって一対のシャッタ部材１８ａ，１８ｂの密閉性が更に高められる。従って、一対のシャッタ部材１８ａ，１８ｂの接合部における防塵性を向上させることができ、その結果、チリや埃等がディスク収納室１６内に侵入するのをより効果的に防止することができる。
【００８９】
このようにして、一対のシャッタ部材１８ａ，１８ｂによって開口部２５，４２の全体が完全に閉じられ、その閉じ状態でディスクカートリッジ１０が排出される。これにより、ディスクカートリッジ１０の排出動作が完了する。
【００９０】
以上説明したが、本発明は上述した実施の例に限定されるものではなく、例えば、上記実施例においては、情報記録媒体として光ディスクを用いた例について説明したが、光磁気ディスク、フロッピーディスク等の磁気ディスク、その他各種のディスク状記録媒体に適用することができる。更に、上記実施例では、情報記録再生装置として記録再生兼用のディスク記録再生装置に適用した例について説明したが、記録又は再生の一方のみが可能なディスク記録装置又はディスク再生装置に適用できることは勿論である。
【００９１】
また、上記実施例においては、カートリッジ筐体１２の中シェル１４及び下シェル１５に開口部４２，２５を設けた例について説明したが、例えば、上シェル１３にも開口部を設け、カートリッジ筐体１２の上下から同時にアクセスできる構造とすることもできる。更に、中シェルと下シェルとでディスク収納室を形成し、このディスク収納室内にディスク状記録媒体を収納すると共に上シェルに開口部を設ける構成とすることもできる。このように、本発明は、その趣旨を逸脱しない範囲で種々変更できるものである。
【００９２】
【発明の効果】
以上説明したように、本出願の請求項１記載のディスクカートリッジによれば、ディスクカートリッジにおいて、上下シェルで中シェルを回転自在に保持し、この中シェルの回転によって一対のシャッタ部材を開閉動作させる構成としたため、スプリングを用いることなく中シェルを所定位置に保持できるようにすると共に、小さな力で中シェルを回転させて一対のシャッタ部材をスムース且つ確実に開閉動作させることができる。しかも、一対のシャッタ部材とカートリッジ筐体間の隙間を小さくして微小なゴミや埃等がディスク収納室内に入り難くすることができ、カートリッジ筐体の防塵効果を高めることができるディスクカートリッジを提供することができる。
【００９３】
本出願の請求項２記載のディスクカートリッジによれば、略半円形とされた一対のシャッタ部材の一側部に軸部を設けて他側部にはガイド溝を設け、軸部を中シェルに回転自在に支持すると共にガイド溝には下シェル又は上シェルに設けたガイドピンを摺動可能に係合する構成としたため、小さな力で中シェルを回転させてシャッタ部材の開閉動作を容易に行うことができると共に、シャッタ部材の面積を小さくしつつ広い範囲の開口部を開閉することができ、開口部の開閉効率を高めながらディスクカートリッジ全体の小型化、薄型化を図ることができるという効果が得られる。
【００９４】
本出願の請求項３記載のディスクカートリッジによれば、中シェルの外側にロック部材を配置し、このロック部材で中シェルの外周面を押圧する構成としたため、小さな力で中シェルを回転させてシャッタ部材の開閉動作を容易に行うことができると共に、衝撃や外力に対してはカウンタによってロックが強く働くようにすることができ、一対のシャッタ部材を開き難くすることができるという効果が得られる。
【００９５】
本出願の請求項４記載のディスクカートリッジによれば、ストッパ部とバネ片を有するロック部材をエンジニアリングプラスチックによって一体成形する構成としたため、中シェルを確実にロックできる部材を簡単且つ安価に形成することができるという効果が得られる。
【図面の簡単な説明】
【図１】本発明のディスクカートリッジの第１の実施例を示すもので、下面側から見た状態の分解斜視図である。
【図２】図１に示すディスクカートリッジを下面側から見たもので、シャッタ機構を閉じて開口部を閉じた状態を示す斜視図である。
【図３】図１に示すディスクカートリッジを下面側から見たもので、シャッタ機構を開いて開口部を開いた状態を示す斜視図である。
【図４】図１に示すディスクカートリッジの上シェルの下面を示す平面図である。
【図５】図１に示すディスクカートリッジの中シェルの下面を示す平面図である。
【図６】図１に示すディスクカートリッジの下シェルの上面を示す平面図である。
【図７】図１に示すディスクカートリッジの中シェルに取り付けられた一対のシャッタ部材を閉じて開口部を閉じた状態を示す斜視図である。
【図８】図１に示すディスクカートリッジの構成を示す説明図である。
【図９】図１に示すディスクカートリッジの中央部を縦方向に断面したもので、ターンテーブルとの関係を示す説明図である。
【図１０】図１に示すディスクカートリッジの開閉時における上シェルに対する中シェルの昇降動作を説明するもので、同図Ａは分解斜視図、同図Ｂは降下時の斜視図、同図Ｃは上昇時の斜視図である。
【図１１】図１に示すディスクカートリッジの開閉時における中シェルの昇降状態を説明するもので、同図Ａは中シェルのカム部が上シェルのリフトアップ部に乗り上げた状態を示す断面図、同図Ｂは中シェルのカム部が上シェルのカム溝内に入った状態を示す断面図である。
【図１２】本発明のディスクカートリッジの第２の実施例を示すもので、下面側から見た状態の分解斜視図である。
【図１３】図１２に示すディスクカートリッジを下面側から見たもので、シャッタ機構を閉じて開口部を閉じた状態を示す斜視図である。
【図１４】図１２に示すディスクカートリッジを下面側から見たもので、シャッタ機構を開いて開口部を開いた状態を示す斜視図である。
【図１５】図１２に示すディスクカートリッジの中シェルの下面を示す平面図である。
【図１６】図１２に示すディスクカートリッジの下シェルの上面を示す平面図である。
【図１７】図１に示すディスクカートリッジの中シェルとロック部材との関係を示す説明図である。
【図１８】本発明のディスクカートリッジが使用されるディスク記録再生装置の回路構成の一実施例を示すブロック説明図である。
【図１９】本発明のディスクカートリッジが使用されるディスク記録再生装置に図１又は図１２に示すディスクカートリッジを挿入する前の状態を示す斜視図である。
【図２０】図１９に示すディスク記録再生装置のシャッタ開閉手段の一実施例を示す斜視図である。
【図２１】本発明のディスクカートリッジが使用されるディスク記録再生装置に図１又は図１２に示すディスクカートリッジを挿入している状態を示す斜視図である。
【図２２】図１に示すディスクカートリッジのシャッタ機構とシャッタ開閉手段との関係を示すもので、初期動作用凸部が開口窓に至る前の状態を示す説明図である。
【図２３】図１に示すディスクカートリッジのシャッタ機構とシャッタ開閉手段との関係を示すもので、初期動作用凸部が初期動作用凹部に係合した状態を示す説明図である。
【図２４】図１に示すディスクカートリッジのシャッタ機構とシャッタ開閉手段との関係を示すもので、ラック部とギア部とが噛み合う初期状態を示す説明図である。
【図２５】図１に示すディスクカートリッジのシャッタ機構とシャッタ開閉手段との関係を示すもので、ラック部とギア部とが噛み合う終期状態を示す説明図である。
【図２６】図１に示すディスクカートリッジのシャッタ機構とシャッタ開閉手段との関係を示すもので、ストッパ用凸部がセット位置用凹部に係合した状態を示す説明図である。
【図２７】従来のディスクカートリッジを示す斜視図である。
【符号の説明】
１０，８０  ディスクカートリッジ、  １１  光ディスク（ディスク状記録媒体）、  １２  カートリッジ筐体、  １３  上シェル、  １４  中シェル、  １５，８５  下シェル、  １６  ディスク収納室、  １８ａ，１８ｂ  シャッタ部材、  ２２  カム溝、  ２３  リフトアップ部、  ２５，４２  開口部、  ２７ａ，２７ｂ  操作凸部、  ３０  開口窓、  ３１  ガイド溝、  ３２  ロック部材、  ３６  ストッパ部、  ３７  入力部、  ３８  バネ片、  ４３  ギア部、４６  カム部、  ５０  段部、  ５０ａ，５０ｂ  接合部、  ５１ａ，５１ｂ庇部、  ５２  軸部、  ６０  ディスク記録再生装置、  ６８  ディスク回転駆動装置、  ６８ａ  ターンテーブル、  ６９  光学ピックアップ装置、  ６９ａ  光学ヘッド、  ７０  ラック棒
【図１】
0003991559.tif 000002
【図２】
0003991559.tif 000003
【図３】
0003991559.tif 000004
【図４】
0003991559.tif 000005
【図５】
0003991559.tif 000006
【図６】
0003991559.tif 000007
【図７】
0003991559.tif 000008
【図８】
0003991559.tif 000009
【図９】
0003991559.tif 000010
【図１０】
0003991559.tif 000011
【図１１】
0003991559.tif 000012
【図１２】
0003991559.tif 000013
【図１３】
0003991559.tif 000014
【図１４】
0003991559.tif 000015
【図１５】
0003991559.tif 000016
【図１６】
0003991559.tif 000017
【図１７】
0003991559.tif 000018
【図１８】
0003991559.tif 000019
【図１９】
0003991559.tif 000020
【図２０】
0003991559.tif 000021
【図２１】
0003991559.tif 000022
【図２２】
0003991559.tif 000023
【図２３】
0003991559.tif 000024
【図２４】
0003991559.tif 000025
【図２５】
0003991559.tif 000026
【図２６】
0003991559.tif 000027
【図２７】
0003991559.tif 000028